(57)【特許請求の範囲】
【請求項１】
ガスコンロ（Ｇ）が載置される載置面（Ｔ）の汚れを防止する防汚器具であって、前記ガスコンロ（Ｇ）の下方に防汚用のシート（Ｓ）を交換可能に配置するために、載置面（Ｔ）から前記ガスコンロ（Ｇ）を上方に離間させる台（１０）と、前記シート（Ｓ）が交換可能に配置されるシート受（１５）とを備え、前記シート受（１５）は、シート（Ｓ）が載置できるように受け材（１６）を開口に設けた枠体（１７）と、前記受け材（１６）に配置されたシート（Ｓ）を押さえる押え材（１８）とで構成され、該シート受（１５）がガスコンロ（Ｇ）と載置面（Ｔ）との間に出し入れ自在に配置されることを特徴とする防汚器具。
【請求項２】
前記台（１０）は、前記ガスコンロ（Ｇ）の下面の所定部位が載置される載置部（１１）と、該載置部を支持する一対の脚部（１２）とで構成され、前記一対の脚部がシート（Ｓ）の幅に対応した間隔を有して前記載置部（１１）に接続された請求項１記載の防汚器具。
【請求項３】
前記台（１０）を少なくとも二つ以上備えるとともに、前記台（１０）の前記一対の脚部（１２）の夫々が摺動する一対のレール（１３）をさらに備え、前記二つ以上の台（１０）が所定の間隔で配置し得るように、前記二つ以上の台（１０）のうち、少なくとも一つ以上の台（１０）を前記レール（１３）に沿って移動可能に配置し、該一つ以上の台（１０）を所定の位置で固定手段（１４ａ，１４ｂ）によってレール（１３）に固定するようにした請求項２記載の防汚器具。
【請求項４】
前記押え材（１８）が前記枠体（１７）に着脱自在に取付けられた請求項１乃至３の何れかに記載の防汚器具。
【請求項５】
前記押え材（１８）が前記枠体（１７）に開閉自在に取付けられた請求項１乃至４の何れかに記載の防汚器具。
【請求項６】
前記シート受（１５）の少なくとも前記押え材（１８）が棒体で構成された請求項１乃至５の何れかに記載の防汚器具。
【請求項７】
ガスコンロ（Ｇ）が載置される載置面（Ｔ）の汚れを防止する防汚器具であって、載置面（Ｔ）から前記ガスコンロ（Ｇ）を上方に離間させるべく、該ガスコンロ（Ｇ）を載置可能に構成されると共に、複数枚のシート（Ｓ）を貯留可能に構成された箱体（５０）と、該箱体（５０）内に上下方向に変位可能に内装され、前記複数枚のシート（Ｓ）が重ねられて載置される載置板（５１）と、該載置板（５１）を上方に押し上げるばね体（５２）とを備え、箱体（５０）は、互いに対向する一対の側立部（５４）と、各側立部（５４）の上端から延出し、ガスコンロ（Ｇ）が載置される一対の載置片（５７）とを備え、該一対の載置片５７間に、載置板（５１）に載置された最上面のシート（Ｓ）を前記ガスコンロ（Ｇ）の下面に対向させる開口が形成され、該最上面のシート（Ｓ）を引き出すことで、該最上面のシート（Ｓ）の下に位置した別のシート（Ｓ）がガスコンロ（Ｇ）の下面に対向するように構成されていることを特徴とする防汚器具。
【請求項８】
前記箱体（５０）は、前面に開閉自在な蓋体（５６）を備え、前記一対の載置片（５７）と蓋体（５６）との間に、最上面のシート（Ｓ）を引き出すための隙間が形成されている請求項７記載の防汚器具。
【発明の詳細な説明】
【０００１】
【発明の属する技術分野】
本発明は、ガスコンロを載置する載置面上の汚れを防止する防汚器具に関する。
【０００２】
【従来の技術】
従来から、台所で使用されるガスコンロは、コンロ台上（載置面）に載置され、該ガスコンロの配管口とガスの元栓とをゴムホースなどで連結して設置される。このように設置されたガスコンロの五徳上に料理される材料が入れられた鍋を置き、火口の炎によって材料が煮炊きされる。
【０００３】
【発明が解決しようとする課題】
しかしながら、上記構成のガスコンロの五徳及び火口の下方は、ガスコンロの放熱を考慮して開放されたものが多く、調理中にこぼれた材料がガスコンロを介して、該ガスコンロが配置されるコンロ台上に落ちてしまい、コンロ台を汚すことがあった。
【０００４】
そして、コンロ台の掃除を行うには、ガス配管が折れ曲がらないように注意しながらガスコンロをコンロ台から退け、その後コンロ台を掃除しなければならなかった。このような手間から、通常、一年に二〜三度の頻度で掃除される場合が多い。これにより、コンロ台の上面に調理中にこぼれた材料や、飛び跳ねた調理用油が堆積してしまい、衛生上好ましくない状態となることが多かった。また、かかる堆積した汚れは、コンロ台にこびり付いているので、掃除するのに手間と時間がかかった。
【０００５】
そこで、本発明は、ガスコンロを移動させることなく、適時ガスコンロの下に落ちた材料や飛び跳ねた油などを取り除くことができ、ガスコンロを載置する載置面上を常に衛生的にすることができる防汚器具を提供することを課題とする。
【０００６】
【課題を解決するための手段】
上記課題を解決すべく、本発明にかかる防汚器具は、請求項１記載の如く、ガスコンロＧが載置される載置面Ｔの汚れを防止する防汚器具であって、前記ガスコンロＧの下方に防汚用のシートＳを交換可能に配置するために、載置面Ｔから前記ガスコンロＧを上方に離間させる台１０と、前記シートＳが交換可能に配置されるシート受１５とを備え、前記シート受１５は、シートＳが載置できるように受け材１６を開口に設けた枠体１７と、前記受け材１６に配置されたシートＳを押さえる押え材１８とで構成され、該シート受１５がガスコンロＧと載置面Ｔとの間に出し入れ自在に配置されることを特徴とする。
【０００７】
上記構成の防汚器具は、前記台１０によってガスコンロＧを載置面Ｔから離間させることで、ガスコンロＧと載置面Ｔとの間に間隙を形成させているので、この間隙にシートＳを容易に配置することができ、ガスコンロＧから落下した調理中の材料や、吹き零れなどをこのシートＳで受けとめることができる。また、ガスコンロＧと載置面Ｔとの間に配置されたシートＳが汚れても、ガスコンロＧを移動させることなく、容易にガスコンロＧと載置面Ｔとの間のシートＳを取り除き、新しいシートＳと交換することができる。したがって、適時シートＳを交換すれば、ガスコンロＧの下方が常に衛生的となる。また、シートＳが非常に薄く、折れ曲がりやすいものであっても、シート受１５にシートＳを配置してから、ガスコンロＧと載置面Ｔとの間にシート受１５を挿入するので、シートＳが折れ曲がることなく、容易にガスコンロＧの下面に対向するようにシートＳを配置することができる。さらに、調理中に換気の為に換気扇を回したり、窓を開けたりして風が吹き込んでもシートＳが浮上がったり、吹き飛ばされたりすることなく、常に安定した状態でシートＳをガスコンロＧの下方に配置することができる。
【０００８】
また、請求項２記載の如く、前記台１０は、前記ガスコンロＧの下面の所定部位が載置される載置部１１と、該載置部を支持する一対の脚部１２とで構成され、前記一対の脚部がシートＳの幅に対応した間隔を有して前記載置部１１に接続されたものにしてもよい。このようにすれば、脚部１２によって載置部１１とガスコンロＧを載置する載置面Ｔとの間に隙間が形成され、載置部１１に設けられた一対の脚部１２，１２間の隙間にシートＳを挿通することができる。また、ガスコンロＧの下面の所定部位（一部）のみが載置部１１に載置されるので、ガスコンロＧの下に位置した前記載置面の大半をシートＳで覆うことができる。したがって、載置面Ｔ上の汚れを防止することができる。
【０００９】
さらに、請求項３記載の如く、前記台１０を少なくとも二つ以上備えるとともに、前記台１０の前記一対の脚部１２の夫々が摺動する一対のレール１３をさらに備え、前記二つ以上の台１０が所定の間隔で配置し得るように、前記二つ以上の台１０のうち、少なくとも一つ以上の台１０を前記レール１３に沿って移動可能に配置し、該一つ以上の台１０を所定の位置で固定手段１４ａ，１４ｂによってレール１３に固定するようにしてもよい。このようにすれば、二つ以上の台１０のうち、少なくとも一つの台１０をレール１３に沿って移動させることができるので、台１０同士が平行を保つことができ、例えば、ガスコンロＧに脚が設けられている場合には、該脚の位置に対応した位置に二つ以上の台１０の夫々を配置しやすくなる。また、固定手段１４ａ，１４ｂで台１０を固定しておけば、台１０の移動を防止することができ、位置決めが容易となる。したがって、本発明にかかる防汚器具及びガスコンロＧの据付が容易となる。
【００１０】
さらに、請求項４記載の如く、前記押え材１８が前記枠体１７に着脱自在に取付けられれば、シートＳの交換を容易に行うことができる。
【００１１】
そして、請求項５記載の如く、前記押え材１８が前記枠体１７に開閉自在に取付けられれば、押え材１８を完全に枠体１７から取り外すことなく、容易にシートＳの交換が行える。
【００１２】
また、請求項６記載の如く、前記シート受１５の少なくとも前記押え材１８が棒体で構成されれば、ガスコンロＧの下面の大半がシートＳと対向する。したがって、ガスコンロＧから落下した材料や、吹き零れをシートＳで受けとめることができる。また、押え材１８が汚れても、棒体とされているため、押え材１８の清掃の容易である。
【００１３】
そして、本発明にかかる防汚器具は、請求項７記載の如く、ガスコンロＧが載置される載置面Ｔの汚れを防止する防汚器具であって、載置面Ｔから前記ガスコンロＧを上方に離間させるべく、該ガスコンロＧを載置可能に構成されると共に、複数枚のシートＳを貯留可能に構成された箱体５０と、該箱体５０内に上下方向に変位可能に内装され、前記複数枚のシートＳが重ねられて載置される載置板５１と、該載置板５１を上方に押し上げるばね体５２とを備え、箱体５０は、互いに対向する一対の側立部５４と、各側立部５４の上端から延出し、ガスコンロＧが載置される一対の載置片５７とを備え、該一対の載置片５７間に、載置板５１に載置された最上面のシートＳを前記ガスコンロＧの下面に対向させる開口が形成され、該最上面のシートＳを引き出すことで、該最上面のシートＳの下に位置した別のシートＳがガスコンロＧの下面に対向するように構成されていることを特徴とする。
【００１４】
上記構成の防汚器具によれば、ガスコンロＧの下方に配置したシートＳでガスコンロＧの真下に落下した材料やふきこぼれなどを受けとめることができ、ガスコンロＧを載置する載置面Ｔ上が汚れるのを防止することができる。そして、汚れたシートＳを引き出せば、連続的に新しいシートＳがガスコンロＧの下方に配置されるので、ガスコンロＧを移動させることなく、シートＳの交換が可能となる。これにより、ガスコンロＧの下方に配置されたシートＳの汚れに応じて、適時、新しいシートに交換することができるので、常にガスコンロの真下を衛生的にすることができる。そして、この場合、請求項８記載の如く、前記箱体５０は、前面に開閉自在な蓋体５６を備え、前記一対の載置片５７と蓋体５６との間に、最上面のシートＳを引き出すための隙間が形成されていることが好ましい。
【００１５】
【発明の実施の形態】
以下、本発明にかかる防汚器具の実施形態について、図面を参酌しつつ説明する。なお、ガスコンロＧの長さや奥行きなどの寸法関連は、一般的に市販されている主流なガスコンロの平均的なものを基準としている。
【００１６】
本発明の第一の実施形態にかかる防汚器具は、図１に示す如く、通常、ガスコンロＧが載置される載置面であるコンロ台の上面（以下、単にコンロ台という）Ｔに、ガスコンロＧの奥行き方向に設けられた脚の間隔に対応した間隔で配置されるとともに、ガスコンロＧの下面の所定部位である脚を載置する一対の台１０と、該一対の台１０を摺動させて一対の台１０同士の位置決めを行うレール１３と、該レール１３に前記一対の台を固定する固定手段であるボルト１４ａと、シートＳを挟持して該シートＳの形状を維持するシート受１５とで構成されている。なお、防汚用のシートであるシートＳは、アルミシートとされ、ガスコンロＧの下面に対応する形状及び大きさとされている。
【００１７】
前記一対の台１０の夫々は、ガスコンロＧの下面の一部であるガスコンロＧの脚を載置する載置部１１と、該載置部１１を支持する脚部１２とで構成されている。かかる載置部１１は、長方形状の板材で形成されており、コンロ台Ｔの幅以下、且つアルミシートＳの幅以上の長さを有し、ガスコンロＧの一つの脚を載置できる幅を有している。そして、板厚は、ガスコンロＧを載置した時に、該ガスコンロＧの荷重によって、大きく撓むことのない厚さとされている。前記脚部１２，１２のそれぞれは、前記シート受１５が載置面Ｔと載置部１１との間に挿通できる間隙を形成する高さとされている。さらに、一対の脚部１２の対向する外面のそれぞれには、固定手段であるボルト１４ａと螺嵌するネジ穴１４ｂが穿孔されている。
【００１８】
前記レール１３は、板材で形成されており、長さがガスコンロの奥行き長さよりやや短く、幅が前記台１０の脚部１２の高さ以下とされている。また、レール１３の平面部分には、レール１３の長手方向に長さを有したボルト１４ａを挿通する一対の長穴２３，２３が所定の間隔を有して穿孔されている。
【００１９】
前記シート受１５は、枠体１７と、該枠体に取付けられ、アルミシートＳを受ける受け材１６と、該受け材１６が固定され、受け材１６上に配置されたアルミシートＳがずれないように押える押え材１８とで構成されている。
【００２０】
前記枠体１７は、長方形状の環体となるように、棒体が屈曲されるとともに、棒体の両端同士が接合されて形成されたものである。かかる棒体は、環体とされたときに、容易にねじれたり、曲がったりしない強度と径を有している。
【００２１】
前記受け材１６は、前記枠体１７を構成した棒体より細い二本の棒体により構成されており、該二本の棒体の夫々は、前記枠体１７の対角を結ぶように枠体１７に取付けられている。また、かかる棒体は、容易に捻れたり曲がったりしない強度と線径を有している。
【００２２】
前記押え材１８は、前記受け材１６と同等の棒体を屈曲して、アルミシートＳを押える押え部１９，１９と、前記枠体１７に枢着する枢着部２０，２０と、前記枠体１７に係止する係止部２１とが形成されたものである。詳しくは、棒体をコの字状に屈曲して略平行な一対の押え部１９，１９を形成し、該押え部１９，１９同士の一端が連結する係止部２１が形成されている。また、該係止部２１を形成した一対の押え部１９の一端部が、前記枠体１７の棒体の外径に対応した曲げ半径で湾曲された湾曲部２２が形成されている。換言すれば、一端部が丸みを持って曲げられた前記一対の押え部１９，１９の夫々が平行を維持し、その曲げられた一端部の端同士が係止部２１によって連結された形状となっている。さらに、前記一対の押え部１９，１９の前記係止部２１とは反対側の他端部の夫々には、輪状に曲げた枢着部２０，２０が形成されている。そして、前記押え材１８は、前記枢着部２０に前記枠体１７の一方の長手の棒体が挿通されて前記枠体１７に回転可能に取付けられている。
【００２３】
上記構成のシート受け１５は、押え材１８が枠体１７に開閉自在に取り付けられ、押え材１８を閉じたときに、押え材１８の湾曲部２２が前記枠体１７の他方の長手の棒体に掛止されるとともに、係止部２１が前記枠体１７の他方の長手の棒体に係止され前記押え材１８の浮上がりが防止される。
【００２４】
上記構成からなる防汚器具を設置する場合、前記一対の台１０が並列となるように、レール１３の長穴２３，２３にボルト１４を挿通して前記一対の台１０の各脚部１２のネジ穴１４ｂに締め付けずに螺嵌させる。そして、ガスコンロＧの奥行き方向に配置された脚の間隔に対応するように一対の台１０をレール１３に沿って移動させて前記ボルト４ａを締め付け、レール１３に台１０を固定する。このとき、一対の台１０は、レール１３に沿って移動しているので、台１０同士が平行を保った状態となっている。  その後、レール１３に固定された台１０を載置面であるコンロ台Ｔに載置し、該一対の台１０上にガスコンロを載置する。
【００２５】
このように設置されたガスコンロＧとコンロ台Ｔとの間には、間隙が形成されている。くわしくは、台１０が配置された場所には、台１０とコンロ台Ｔとの間に間隙が形成され、台１０が配置されていない場所には、ガスコンロＧとコンロ台Ｔとの間に間隙が形成されている。
【００２６】
そして、前記シート受け１５の押え材１８を開け、受け材１６上にアルミシートＳを配置し、再度押え材１８をしめる。このとき、押え材１８は、前記枠体１７に係止されているので、アルミシートＳは、受け材１６と押え材１８とで挟持された状態となっている。
【００２７】
このようにアルミシートＳが取り付けられたシート受１５を、ガスコンロＧの下面と対向するように、台１０とコンロ台Ｔとの間隙内に挿通して防汚器具の設置が完了する。
【００２８】
そして、防汚器具を設置した後、日々の調理が行われ、該調理に伴う調理用の材料のこぼれ、煮炊き物のふきこぼれ、調理油の飛散などをガスコンロＧの下に位置したシート受１５に取り付けられたアルミシートＳが受けとめる。汚れたアルミシートＳを新しいアルミシートＳに交換する場合には、シート受１５をガスコンロＧとコンロ台Ｔとの間から引き出し、シート受１５の押え材１８を開けてアルミシートＳを廃棄し、受け材１６上にアルミシートＳを配置して押え材１８でアルミシートＳを押えた後に、再度シート受１５をガスコンロＧとコンロ台Ｔとの間に挿入すればよい。
【００２９】
以上のように、コンロ台ＴにガスコンロＧの下面に対応したアルミシートＳが配置されることで、ガスコンロＧの下にこぼれ落ちた調理用の材料、煮こぼれ、油をアルミシートＳで受けることができ、コンロ台Ｔに汚れが蓄積するのを防止することができる。
【００３０】
また、ガスコンロＧを移動させることなく、汚れたアルミシートＳを容易に新しい（きれいな）シートに交換することができ、ガスコンロＧの下方を常に衛生的にすることができる。
【００３１】
なお、本発明にかかる防汚器具は、上記実施形態に限定されるものではなく、本発明の趣旨を逸脱しない範囲で種々の変更が可能である。
【００３２】
したがって、台１０は二つ（一対）に限定されるものではなく、二つ以上であってもよい。つまり、ガスコンロＧを安定した状態で載置することができるとともに、アルミシートＳとガスコンロＧの下面とが対面する面積が広くなればよい。
【００３３】
また、前記台１０の載置部１１は、ガスコンロＧの脚を載置するものに限定されるものではなく、脚以外の部分を載置してもよい。つまりガスコンロＧを安定して載置できるものであればよい。したがって、台１０の載置部１１の形状も板材に限定されるものでなく、棒状のものであってもよい。
【００３４】
また、前記押え材１８は、枠体１７の長手の棒体に回転可能に取り付けられるものに限定されるものでなく、枠体の短手の棒体に回転可能に取り付けてもよい。
【００３５】
さらに、前記押え材１８は、枠体１７に回転可能（開閉自在）に取り付けられるものに限定されるものではなく、枠体１７に着脱自在に取り付けてもよい。
【００３６】
さらに、前記押え材１８は、棒体をコの字状に屈曲して形成されたものに限定されるものではなく、例えば、棒体の一端に枢着部２０を形成して枠体１７に取り付け、他端を枠体１７の構成する棒体に対応するように湾曲させて湾曲部２２を形成したものを複数本枠体１７に取り付けてもよい。
【００３７】
シート受１５の枠体１７は、棒体で構成されたものに限定されるものではなく、例えば、四枚の短冊の板材の夫々を短手方向を屈曲してＬ字状に形成し、各部材を接合して長方形状の環状にしたものであってもよい。この場合、押え材１８の係止部２１を係止することができる凸部を板材に形成し、押え材１８の係止部２１とは反対側の端部を回転可能に取り付けるようにすればよい。
【００３８】
そして、前記受け材１６は、棒体で構成されるものに限定されるものではなく、枠体１７に対応した形状の薄板を枠体１７に取り付けてもよい。つまり、アルミシートＳを安定して配置することができるものであればよいのである。
【００３９】
また、ガスコンロの両側面に対向する立面（壁部）が形成されているコンロ台にガスコンロを載置する場合、前記一対の台１０は、必ずしも載置部１１の両端部に脚部１２，１２を設けたものに限定されるものではなく、ガスコンロの重さに耐え得るように、載置部１１の両端のそれぞれが、コンロ台の対向した壁部のそれぞれを押圧して取付けるものであってもよい。この場合、載置部とコンロ台上面との間にシートを挿通する間隙が形成されていればよい。
【００４０】
そして、シートＳを配置する場所が火元に近いので、シートＳを不燃性のアルミシートとすることが好ましいが、必ずしもアルミシートにする必要はなく、樹脂シートや紙シートであってもよい。
【００４１】
次に、本発明にかかる防汚器具の参考例について説明する。参考例にかかる防汚器具は、図２に示す如く、通常、ガスコンロＧが載置される載置面であるコンロ台の上面（以下、単にコンロ台という）Ｔに、ガスコンロＧの奥行き方向に設けられた脚の間隔に対応した間隔で配置されるとともに、ガスコンロＧの下面の所定部位である脚を載置する一対の台１０と、軸体３１の外周に防汚用のシートである長尺のアルミシートＳ（アルミ箔）を巻き付けたロール体３２の軸体３１の両端を枢支する一対の支持部材３４と、該支持部材３４に連結され、前記一対の台１０を案内するレール１３と、ロール体３２を汚れから保護する保護具３６と、位置決めされた前記一対の台１０をレール１３に固定する固定手段であるボルト１４ａとで構成されている。なお、ロール体３２の軸体３１の両端部は、ロール状にされたアルミシートＳの両端面から突出している。また、アルミシートＳの幅は、ガスコンロＧの幅よりやや狭い幅とされている。
【００４２】
前記一対の台１０の夫々は、ガスコンロＧの下面の一部であるガスコンロＧの脚を載置する載置部１１と、該載置部１１を支持する脚部１２，１２とで構成されている。かかる載置部１１は、長方形状の板材で形成されており、コンロ台Ｔの幅以下、且つアルミシートＳの幅以上の長さを有し、ガスコンロＧの一つの脚を載置できる幅を有している。そして、板厚は、ガスコンロＧを載置した時に、該ガスコンロＧの荷重によって、大きく撓むことのない厚さとされている。前記脚部１２，１２のそれぞれは、所定の間隔を有して配置された一対の片１２ａ，１２ｂで構成されており、該一対の片が前記載置部１１の一方の面の長手方向の両端部に設けられてなる。かかる一対の片１２ａ，１２ｂの夫々は、長方形状の板材で形成されており、長手方向の長さが前記載置部３２の幅と略同等とされ、短手方向の長さが、前記一対の片１２ａ，１２ｂ同士で形成した間隙と略同等とされている。さらに、載置部１１の両端部には、一対の片１２ａ，１２ｂで形成した間隙を介してボルト１４ａを螺着できるようにネジ穴１４ｂが穿孔されている。
【００４３】
前記一対の支持部材３４は、長方形状の板材で形成されている。そして、支持部材３４の長手方向の一端部には、前記ロール体３２の軸体３１を枢支する枢支部３３が形成されている。かかる枢支部３３は、ロール体３２の軸体３１の径に対応したＵ字状の溝が板厚方向に形成されたものである。つまり、Ｕ字状の溝の円弧部でロール体３２の軸体３１を枢支するのである。
【００４４】
前記一対のレール１３の夫々は、断面が方形状をなした棒体で形成されている。かかるレール１３は、コンロ台Ｔの奥行きより短く、且つガスコンロＧの奥行き以上の長さを有し、方形状の断面の一辺が、前記台の一対の片１２ａ，１２ｂ対向面で形成された間隙に挿入することができる長さとされている。そして、レール１３の上下面となる対向面には、レール１３の長手方向に長さを有する貫通した一対の長穴が間隔を有して穿孔されている。
【００４５】
図３は、かかるレール１３の断面図である。レールに穿孔された長穴は、レール１３の上面側に穿孔され、ボルト１４ａを挿通する挿通用長穴３７ａと、該挿通用穴３７ａに連続してレール１３の下面側に穿孔されたボルト１４ａの頭部を遊嵌させるザグリ長穴３７ｂとで構成されている。すなわち、かかる長穴は、挿通用長穴３７ａの径よりザグリ長穴３７ｂの径の方が大きくされた段付きの長穴である。
【００４６】
図２に戻り、上記構成の一対のレール１３の夫々は、挿通用長穴３７ａの開口が上側に位置し、且つレール１３の下面と支持部材３４の長手方向の他端面とが同一面を形成するように、支持部材３４の短手方向の一側端面にレール１３の一端面が接合され、一対の支持部材３４のそれぞれと一体化された状態で設けられている。
【００４７】
前記保護具３６は、ガスコンロＧの背面と該背面に対向したコンロ台の立面との間を塞ぐカバー３５と、ガスコンロＧの背面側のコンロ台Ｔに、ガスコンロＧの幅方向に間隔を有して配置される一対のカバー用脚３８とで構成されている。
【００４８】
前記カバー３５は、長方形状の薄板で形成されている。そして、カバー３５の強度を増すために、かかる板材の短手方向の両端部が屈曲されている。これにより、カバー３５の長手方向の長さは、コンロ台Ｔの幅と略同等とされ、短手方向の長さ（両端を屈曲して形成した片の外面間の距離）は、コンロ台ＴにガスコンロＧを配置した際に、ガスコンロＧの背面と該背面と対向した壁とで形成される隙間の間隔と略同等とされている。
【００４９】
前記一対のカバー用脚３８の夫々は、短冊状の板材をコの字状に屈曲して形成されたものである。詳しくは、カバー３５とガスコンロＧの上面とが略一致するようにカバー３５を支持する立部３９と、該立部３９に対して略直角をなし、かつ該立部３９の長手方向の一端から延出した前記カバー３５を載置するカバー載置部４０と、立部３９に対して略直角をなし、かつ該立部３９の他端から延出したコンロ台Ｔに設置される設置部４１とで構成されている。
【００５０】
上記構成からなる防汚器具を設置する場合、一対の台１０の夫々の一方の脚部１２ａ，１２ｂの間隙に、一方のレール１３を嵌め込み、他方の脚部１２ａ，１２ｂの間隙に、他方のレール１３を嵌め込む。そして、ボルトをレール１３のザグリ長穴３７ｂを介して挿通用長穴３７ａに挿通し、前記台１０のネジ穴１４ｂにボルト１４ａを締め付けずに取付ける。その後、ガスコンロＧの脚の位置の対応するように、一対の台１０のそれぞれを、レール１３上を摺動させて移動させ、ボルト１４ａを締め付けて一対の台１０をレール１３に固定する。この状態において、図４に示す如く、ボルト１４ａの頭の全てがザグリ穴３７ｂ内に内装された状態となっているので、安定した状態でレール１３をコンロ台Ｔに載置することができる。この状態でコンロ台Ｔに載置した後に、一対の台１０上にガスコンロＧを載置する。そして、支持部材３４の枢支部３３にアルミシートＳのロール体３２の両端の軸体３１を載せ、ロール体３２からアルミシートＳを引き出す。この時、このアルミシートＳの引き出しによって、ロール体３２は円滑に回転する。そして、アルミシートＳの先端がコンロ台Ｔの略前面に位置するように、前記一対の台１０によって形成されたガスコンロＧとコンロ台Ｔとの間の間隙にアルミシートＳを挿通する。その後、カバー３５を安定して載置できる間隔で、カバー用脚３８の立部３９がロール体３２とガスコンロＧの背面と対向する壁との間に位置するようにカバー用脚３８を設置し、該カバー用脚３８のカバー載置部４０上にカバー３５を配置して設置が完了する。
【００５１】
そして、防汚器具を設置した後、日々の調理が行われ、該調理に伴う調理用の材料のこぼれ、煮炊き物のふきこぼれ、調理油の飛散などをガスコンロＧの下に位置したアルミシートＳが受けとめる。これにより汚れたアルミシートＳを新しいアルミシートＳに交換する場合には、ロール体３２のきれいなアルミシートＳがガスコンロＧの下に位置するまで汚れたアルミシートＳを引き出し、該汚れたアルミシートＳをはさみやナイフなどで切断して廃棄する。したがって、調理によってアルミシートＳが汚れれば、ガスコンロＧの下にきれいなアルミシートが位置するように、きれいなアルミシートＳを引き出せばよい。
【００５２】
また、アルミシートＳを使い切り、ロール体３２が軸体３１のみになれば、カバー３５及びカバー用脚３８を外して新しいロール体３２をシート貯留具３０に取付ければよい。この場合においても、防汚器具を設置した場合と同様に、アルミシートＳの先端が、コンロ台Ｔの略前面に位置するように、ガスコンロＧとコンロ台Ｔとの間隙にアルミシートＳが位置するようにアルミシートＳを引き出せばよい。そして、再度カバー３５及びカバー用脚３８を設置すればよい。
【００５３】
以上のように、コンロ台ＴにアルミシートＳが配置されることで、ガスコンロＧの下にこぼれ落ちた調理用の材料、煮こぼれ、油をアルミシートＳで受けることができ、コンロ台Ｔに汚れが蓄積するのを防止することができる。
【００５４】
また、アルミシートＳが汚れた場合には、アルミシートＳの汚れた部分を廃棄できるとともに、ガスコンロＧの下方にきれいなアルミシートＳを配置することができるので、常にガスコンロＧの下を衛生的にすることができる。
【００５５】
そして、カバー３５を設けたことで、てんぷらなどの揚げ物をして油が周囲に飛散しても、アルミシートＳのロール体３２を汚れから守ることができ、ロール体３２からアルミシートＳを引き出したときに、連続的にきれいな状態のアルミシートＳをガスコンロＧの下に配置することができる。
【００５６】
なお、上記参考例においては、別体とされた支持部材３４とレール１３とを接合したが、支持部材３４とレール１３を一体成形してもよい。
【００５７】
また、支持部材３４とレール１３とが連結されたものに限定されるものではなく、レール１３と支持部材３４とが分離していてもよい。つまり、レール１３及び支持部材３４のそれぞれが、安定した状態でコンロ台Ｔに設置することが出来ればよい。また、レール１３は、一対の台１０を摺動させて位置決めを容易に出来るものであればよい。
【００５８】
また、一対の台１０の載置部１１と脚部１２ａ，１２ｂとをアルミダイカストなどで一体成形してもよい。そして、台１０は、ガスコンロＧが安定して載置できるように二つ以上備えてもよい。
【００５９】
さらに、ガスコンロの両側面に対向する立面（壁部）が形成されているコンロ台にガスコンロを載置する場合、前記一対の台１０は、必ずしも載置部１１の両端部に脚部１２ａ，１２ｂを設けたものに限定されるものではなく、ガスコンロの重さに耐え得るように、載置部１１の両端のそれぞれが、コンロ台の対向した壁部のそれぞれを押圧して取付けるものであってもよい。この場合、載置部とコンロ台上面との間にシートを挿通する間隙が形成されていなければならない。
【００６０】
そして、シートＳを配置する場所が火元に近いので、シートＳを不燃性のアルミシートとすることが好ましいが、必ずしもアルミシートにする必要はなく、樹脂シートや紙シートであってもよい。
【００６１】
また、カバー用脚３８は、コの字状をなしたものに限定されるものではなく、例えば、ロール体３２を枢支できるように、一対の支持部材３４のそれぞれの上端を延長し、該延長した部分にカバー３５を掛け渡すように配置してもよい。つまり、ロール体３７の回転を阻害することなく、カバーを着脱自在に取付けることができるものであればよい。
【００６２】
また、シート貯留具３０に配置される長尺のシートＳをロール体３２にしたものに代えて、長尺のシートを所定の長さで連続して交互に折り返した蛇腹状のものであってもよい。この場合、支持部材３４に代えて、長尺のシートＳが引き出せるように上面が開放された箱体を設け、該箱体内に折り返した長尺のシートを配置すればよい。この場合においても、箱体内に入れられたシートを引き出し、該シートの先端がガスコンロの略前面の下方に位置するように、一対の脚の載置部とコンロ台との間の間隙に挿通すればよい。
【００６３】
次に、本発明にかかる防汚器具の第二の実施形態について説明する。第二の実施形態にかかる防汚器具は、図５に示す如く、ガスコンロＧが載置されるとともに、複数枚の防汚用シートであるアルミシートＳを重ねて貯留する箱体５０と、該箱体５０内に上下方向に変移可能に内挿され前記多数のアルミシートＳが重ねられて載置される載置板５１と、該載置板５１を上方に押し上げるばね体５２とで構成されたものである。なお、アルミシートＳは、平面視が前記載置板５１と略同等の形状に切断されたものである。
【００６４】
前記箱体５０は、ガスコンロＧを載置する台と、シートＳを貯留するシート貯留具とが一体化されたものである。かかる箱体５０は、平面視がガスコンロＧの下面の形状に相似した長方形状をなした底板５３と、該底板５３の長手方向の両端縁に沿って、底板５３と略直角をなして延出した一対の側立部５４と、該側立部５４の夫々の上端に、対向する側立部５４に向けて延出した一対の載置片５７と、底板５３の短手方向の一端縁に沿って、底板５３と略直角をなして延出した後立部５５と、前記底板５３の短手方向の他端に蝶着手段を介して開閉自在に取付けられた蓋体５６とで構成されている。
【００６５】
前記一対の側立部５４のそれぞれは、長方形状の板材で形成されており、長手方向の長さは、底板５３の短手方向の長さと同等の長さとされ、箱体５０の高さとなる短手方向の長さは、多数のアルミシートＳを貯留でき、且つ載置板５１及びばね体５２を内挿して該載置板５１が移動可能となる長さとされている。また、前記側立部５４の内面側となる長手方向の一端部には、ネジ穴５９が穿孔されたブロック体６０が溶着されている。
【００６６】
また、前記後立部５５は、長方形状の板材で形成されており、長手方向の長さは、底板５３の長手方向の長さと同等の長さとされ、箱体５０の高さとなる短手方向の長さは、前記側立部５４の短手方向の長さと同等とされている。
【００６７】
そして、前記蓋体５６も、長方形状の板材で形成されており、長手方向の長さは、底板５３の長手方向の長さと同等の長さとされ、短手方向の長さは、側立部５４の短手方向の長さよりやや短い長さとされている。また、蓋体５６の蝶着された一端に対向する他端近傍の外面側には、取っ手５８が取付けられている。さらに、前記側立部５４のブロック体６０のネジ穴５９に対応するように、蓋体５６の長手方向の両端部に穴６１が穿孔されている。
【００６８】
前記載置片５７は、側立部５４の上端縁に沿って延出しているので、該側立部５４の長さと同等の長さを有し、ガスコンロＧを安定して載置できる幅を有している。したがって、一対の載置片５７間に開口が形成されている。
【００６９】
そして、前記載置板５１は、前記底板５３と相似した形状をなした板材であり、箱体５０内で変移できるように前記底板５３よりやや小さくされている。このように形成された載置板５１は、前記箱体５０内に遊嵌されている。
【００７０】
前記ばね体５２は、コイルばねが採用されている。かかるコイルばね５２は、載置板５１上に多数のアルミシートＳを重ねて載置した際に、最上面に位置するアルミシートＳの両側端部が前記載置片５７の裏面に適度に接触するようにアルミシートＳ及び載置板５１を押し上げるばね力を有するものである。また、コイルばね５２の一端は底板５３の上面に固定され、他端が載置板５１の下面に固定されている。
【００７１】
上記構成の防汚器具を使用する場合、ガスコンロＧが載置されていた載置面Ｔに蓋体５６が前面に位置するように箱体５０を載置し、該箱体５０の載置片５７上にガスコンロＧを載置する。このとき、ガスコンロＧに脚がある場合には、脚を載置片５７上に載置し、脚が無い場合には、ガスコンロＧの下面に両側端部を載置片５７の載置すればよい。
【００７２】
そして、蓋体５６を開け、載置板５１を押し下げるとともに、多数のアルミシートＳを重ねて載置板５１上に載置する。その後、蓋体５６を閉め、該蓋体５６の穴６１に蝶ネジを挿通して側立部５４のネジ穴５９と螺合させる。
【００７３】
このように設置された防汚器具のアルミシートＳは、箱体５０の載置片５７間の開口部分に位置する。したがって、載置片５７上に載置されたガスコンロＧの下面に対向してシートＳが配置されている。
【００７４】
蓋体５６が側立部５４の高さよりやや低い高さにされているので、該蓋体５６が閉じられているときに、該蓋体５６の上端と前記側立部５４の上端に設けられた載置片５７との間に隙間が形成される。したがって、最上面に位置したアルミシートＳがよごれ、新しいアルミシートＳに交換する場合、図６に示す如く、最上面のシートＳのみを蓋体５６と載置片５７とで形成した隙間から前面方向Ｐに向けて引き出す。このとき、引き出されるアルミシートＳの下に位置していた多数のシートＳが載置板５１に付勢されたばね力によって押し上げられ、引き出されたシートＳの真下に位置していた新しいアルミシートＳが最上面に位置する。すなわち、汚れたシートＳを引き出せば、新しいシートＳが連続的にガスコンロＧの下面に対向した位置に配置される。
【００７５】
以上の如く、ガスコンロＧを移動させることなく、アルミシートＳを容易に交換することができ、ガスコンロＧの真下を常に衛生的にすることができる。したがって、ガスコンロＧを載置していた載置面Ｔが汚れないので、手間と時間を要した清掃をする必要がなくなった。
【００７６】
また、アルミシートＳの両側端を載置片５７に当接させているので、箱体５０内に材料やふきこぼれなどの汚れの原因となるものが入らず、箱体５０内も衛生的である。
【００７７】
さらに、箱体５０内に貯留されるアルミシートＳは、ガスコンロＧの下面に対応した大きさに切断されたものであるため、使用後にアルミシートＳを切断する必要がないので容易にアルミシートＳを交換することができる。
【００７８】
なお、蓋体５６は、蝶ネジによって側立部５４に固定されるものに限定されるものではなく、シートを箱体内に貯留した後に蓋体を閉じることができるものであればよい。
【００７９】
また、シートを配置する場所が火元に近いので、シートを不燃性のアルミシートＳとすることが好ましいが、必ずしもアルミシートにする必要はなく、樹脂シートや紙シートであってもよい。
【００８０】
【発明の効果】
以上の如く、本発明の効果として、シートをガスコンロとガスコンロを載置する載置面との間にシートを配置したので、載置面の汚れの原因となる調理材料や吹き零れなどのガスコンロからの落下物をシートで受けとめることができ、載置面の汚れを防止することができる。
【００８１】
また、ガスコンロと載置面との間に配置したシートを容易に交換できるようにしたので、ガスコンロからの落下物によってシートが汚れても、ガスコンロを移動させることなく、汚れたシートをきれいなシート交換することができ、常にガスコンロの下方を衛生的にすることができる。これにより、載置面の清掃に時間や手間を掛ける必要がなくなった。
【図面の簡単な説明】
【図１】  本発明の第一の実施形態にかかる防汚器具の全体斜視図。
【図２】  本発明の参考例にかかる防汚器具の全体斜視図。
【図３】  本発明の参考例にかかる防汚器具のレールの断面図。
【図４】  本発明の参考例にかかる防汚器具の台及びレールの取り付け部分の断面図。
【図５】  本発明の第二の実施形態にかかる防汚器具の一部断面を含む正面図。
【図６】  本発明の第二の実施形態にかかる防汚器具の断面側面図。
【符号の説明】
１０…台、１１…載置部、１２…脚部、１３…レール、１４ａ，１４ｂ…固定手段（１４ａ…ボルト、１４ｂ…ネジ穴）、１５…シート受、１６…受け材、１７…枠体、１８…押え材、１９…押え部、２０…枢着部、２１…係止部、２２…湾曲部、３０…シート貯留具、３１…軸体、３２…ロール体、３３…枢支部、３４…支持部材、３５…カバー、３６…保護具、３７ａ…挿通用長穴、３７ｂ…ザグリ長穴、３８…カバー用脚、３９…立部、４０…カバー載置部、４１…設置部、５０…箱体、５１…載置板、５２…ばね体（コイルばね）、５３…底板、５４…側立部、５５…後立部、５６…蓋体、５７…載置片、５８…取っ手、５９…ネジ穴、６０…ブロック体、６１…穴
【図１】
0003682956.tif 000002
【図２】
0003682956.tif 000003
【図３】
0003682956.tif 000004
【図４】
0003682956.tif 000005
【図５】
0003682956.tif 000006
【図６】
0003682956.tif 000007